(57)【要約】【課題】気泡等の混入を防止しながら記録シートが基板上に積層されたホログラム記録材を好適に製造する。【手段】基板（１２）と記録シート（１３）とを備えるホログラム記録材（１０）の製造装置（１００）は、基板を載置する支持台（１１０）と、記録シートを基板に対して押さえつけながら記録シートの一方側の端部から他方側の端部に向かって順に移動することで、記録シートを基板に貼り付ける貼付部材（１３０）と、記録シートのうち貼付部材よりも他方側に位置するシート部分と基板との間に空隙が確保されるように、記録シートを保持する保持部材（１２１）とを備える。【選択図】図１４
2014142454.tif 000002
【特許請求の範囲】
【請求項１】
基板と、前記基板上に積層され且つ画像が記録される記録シートとを備えるホログラム記録材の製造装置であって、
前記基板を載置する支持台と、
前記記録シートを前記基板に対して押さえつけながら前記記録シートの一方側の端部から他方側の端部に向かって順に移動することで、前記記録シートを前記基板に貼り付ける貼付部材と、
前記記録シートのうち前記貼付部材よりも前記他方側に位置するシート部分と前記基板との間に空隙が確保されるように、前記記録シートを保持する保持部材と
を備えることを特徴とする製造装置。
【請求項２】
前記貼付部材が前記記録シートの前記一方側の端部から前記他方側の端部に向かって移動する前には、前記貼付部材は、前記記録シートの前記一方側の端部を前記基板に押さえつけることで、前記記録シートの前記一方側の端部を前記基板に貼り付けておき、
前記貼付部材が前記記録シートの前記一方側の端部から前記他方側の端部に向かって移動を開始した後には、前記貼付部材は、前記記録シートのうち前記貼付部材よりも前記一方側に位置するシート部分が前記基板に貼り付けられている一方で前記記録シートのうち前記貼付部材よりも前記他方側に位置するシート部分と前記基板との間に前記空隙が確保されている状態で、前記記録シートのうち前記貼付部材と接触しているシート部分を前記基板に対して押さえつけるように前記記録シートの一方側の端部から他方側の端部に向かって順に移動することで、前記記録シートを前記基板に貼り付けることを特徴とする請求項１に記載の製造装置。
【請求項３】
前記保持部材は、（ｉ）前記貼付部材よりも前記他方側であって且つ前記基板よりも上方側に位置しており、（ｉｉ）少なくとも前記記録シートの前記他方側の端部を保持することを特徴とする請求項１又は２に記載の製造装置。
【請求項４】
前記貼付部材は、当該貼付部材の移動に伴って前記保持部材に接触することで、前記保持部材を前記他方側に向かって押し出すことが可能であり、
前記保持部材は、前記貼付部材が前記保持部材に接触するまでは、前記記録シートの前記他方側の端部を保持し、
前記保持部材は、前記貼付部材が前記保持部材に接触した後に、前記他方側に向かって押し出されることで前記記録シートを離すことを特徴とする請求項３に記載の製造装置。
【請求項５】
前記貼付部材の移動方向と交わる方向に沿った前記記録シートの位置決めを行う位置決め部材を更に備えていることを特徴とする請求項１から４のいずれか一項に記載の製造装置。
【請求項６】
前記貼付部材は、ローラ及びヘラのうちの少なくとも一方を含むことを特徴とする請求項１から５のいずれか一項に記載の製造装置。
【請求項７】
基板と、前記基板上に積層され且つ画像が記録される記録シートとを備えるホログラム記録材の製造方法であって、
前記基板を支持台上に載置する第１工程と、
前記記録シートを前記基板に対して押さえつける貼付部材を、前記記録シートの一方側の端部から他方側の端部に向かって順に移動させることで、前記記録シートを前記基板に貼り付ける第２工程と
を備え、
前記第２工程では、前記記録シートのうち前記貼付部材よりも前記他方側に位置するシート部分と前記基板との間に空隙が確保されるように、前記記録シートが前記基板に貼り付けられることを特徴とする製造方法。
【発明の詳細な説明】
【技術分野】
【０００１】
本発明は、ホログラムが記録されるホログラム記録材を製造する製造装置及び方法であって、特に、画像が記録される記録シートが基板上に積層されたホログラム記録材を製造する製造装置及び方法の技術分野に関する。
【背景技術】
【０００２】
ホログラムは、観察する角度又は位置に応じて異なる画像を表示することが可能な表示手法として知られている（例えば、特許文献１参照）。例えば、紙幣やクレジットカード等で、複数の絵柄が変化するホログラムが採用されている。
【０００３】
このようなホログラムを記録するホログラム記録材は、一般的には、光反応性を有するフォトポリマー等を含む記録シートが、透明ガラス等である基板上に積層される構造を有している。従って、ホログラム記録材を製造するためには、基板に対して記録シートを貼り付けられる必要がある。
【０００４】
尚、特許文献１には、基板に記録シートが積層されたホログラム記録材そのものを製造する技術ではないものの、光反応性を有する感光材料フィルムをホログラムの原版に対して貼り付けることで、ホログラムを複製する技術が開示されている。
【先行技術文献】
【特許文献】
【０００５】
【特許文献１】特許第３２９９０３５号
【発明の概要】
【発明が解決しようとする課題】
【０００６】
ここで、基板に対して記録シートを貼り付ける際には、記録シートと基板との間に気泡等が混入してしまうおそれがある。仮に気泡等が混入してしまうと、当該気泡等が混入した箇所が欠陥領域になってしまうがゆえに、ホログラムを記録した際に画像の記録品質が悪化してしまうという技術的問題点が生ずる。
【０００７】
本発明が解決しようとする課題には上記のようなものが一例として挙げられる。本発明は、気泡等の混入を防止しながら、記録シートが基板上に積層されたホログラム記録材を好適に製造することが可能な製造装置及び方法を提供することを課題とする。
【課題を解決するための手段】
【０００８】
上記課題を解決するために、本発明のホログラム記録材の製造装置は、基板と、前記基板上に積層され且つ画像が記録される記録シートとを備えるホログラム記録材の製造装置であって、前記基板を載置する支持台と、前記記録シートを前記基板に対して押さえつけながら前記記録シートの一方側の端部から他方側の端部に向かって順に移動することで、前記記録シートを前記基板に貼り付ける貼付部材と、前記記録シートのうち前記貼付部材よりも前記他方側に位置するシート部分と前記基板との間に空隙が確保されるように、前記記録シートを保持する保持部材とを備える。
【０００９】
上記課題を解決するために、本発明のホログラム記録材の製造方法は、基板と、前記基板上に積層され且つ画像が記録される記録シートとを備えるホログラム記録材の製造方法であって、前記基板を支持台上に載置する第１工程と、前記記録シートを前記基板に対して押さえつける貼付部材を、前記記録シートの一方側の端部から他方側の端部に向かって順に移動させることで、前記記録シートを前記基板に貼り付ける第２工程とを備え、前記第２工程では、前記記録シートのうち前記貼付部材よりも前記他方側に位置するシート部分と前記基板との間に空隙が確保されるように、前記記録シートが前記基板に貼り付けられる。
【図面の簡単な説明】
【００１０】
【図１】本実施例のホログラム記録材の外観を示す平面図、及び本実施例のホログラム記録材の断面を示す断面図である。
【図２】ホログラム記録材に画像を記録する光学系の構成を示す斜視図である。
【図３】ホログラム記録材に対する要素ホログラムの記録の態様を示す模式図である。
【図４】ホログラム記録材に記録された要素ホログラムによって表示される画像の観察者による観察の態様を示す模式図である。
【図５】ホログラム記録材に記録された各々の要素ホログラムによって表示される画像の観察者による観察の態様を示す模式図である。
【図６】製造装置の構成を示す斜視図である。
【図７】図６に示す製造装置を上方（図６中の矢印参照）から観察した場合の平面図である。
【図８】図６に示す製造装置の線分ＶＩ−ＶＩ’に沿った断面を示す断面図である。
【図９】図６に示す製造装置を側面（図６中の矢印参照）から観察した場合の側面図である。
【図１０】製造装置における動作（つまり、ホログラム記録材の製造動作）の流れを示すフローチャートである。
【図１１】製造装置における動作（つまり、ホログラム記録材の製造動作）が行われている時点での製造装置の状態を示す側面図である。
【図１２】製造装置における動作（つまり、ホログラム記録材の製造動作）が行われている時点での製造装置の状態を示す側面図である。
【図１３】製造装置における動作（つまり、ホログラム記録材の製造動作）が行われている時点での製造装置の状態を示す断面図である。
【図１４】製造装置における動作（つまり、ホログラム記録材の製造動作）が行われている時点での製造装置の状態を示す断面図である。
【図１５】製造装置における動作（つまり、ホログラム記録材の製造動作）が行われている時点での製造装置の状態を示す断面図である。
【発明を実施するための形態】
【００１１】
以下、ホログラム記録材の製造装置及び方法の実施形態について順に説明する。
【００１２】
（ホログラム記録材の製造装置の実施形態）
＜１＞
本実施形態のホログラム記録材の製造装置は、基板と、前記基板上に積層され且つ画像が記録される記録シートとを備えるホログラム記録材の製造装置であって、前記基板を載置する支持台と、前記記録シートを前記基板に対して押さえつけながら前記記録シートの一方側の端部から他方側の端部に向かって順に移動することで、前記記録シートを前記基板に貼り付ける貼付部材と、前記記録シートのうち前記貼付部材よりも前記他方側に位置するシート部分と前記基板との間に空隙が確保されるように、前記記録シートを保持する保持部材とを備える。
【００１３】
本実施形態のホログラム記録材の製造装置は、基板と記録シートとを備える（典型的には、基板に対して記録シートが貼り付けられている）ホログラム記録材を製造することができる。このようなホログラム記録材を製造するために、本実施形態の製造装置は、少なくとも、支持台と、貼付部材と、保持部材とを備えている。
【００１４】
支持台は、基板が載置される（言い換えれば、載せ置かれる又は搭載される）部材である。尚、支持台に載置される時点では、基板には、記録シートが貼り付けられていないことが好ましい。従って、本実施形態の製造装置は、後述する貼付部材及び保持部材を用いて、記録シートを、支持台に載置された基板に対して貼り付けていく。
【００１５】
貼付部材は、記録シートを基板に対して貼り付けていく部材である。具体的には、貼付部材は、記録シートを基板に対して押さえつける（言いかえれば、押しつける又は密着させる）部材である。更に、貼付部材は、記録シートの一方側の端部から他方側の端部に向かって順に移動していく部材である。その結果、当該貼付部材の移動に応じて、貼付部材は、記録シートを、当該記録シートの一方側の端部から他方側の端部に向かって順に、基板に対して押さえつけていくことになる。その結果、記録シートは、当該記録シートの一方側の端部から他方側の端部に向かって順に、基板に対して貼り付けられていく。
【００１６】
尚、貼付部材の移動に伴って貼付部材が記録シートの全体を基板に対して貼り付けるという観点から考慮すれば、貼付部材の長さ（具体的には、当該貼付部材の移動の方向に直交する方向に沿った長さであり、典型的には、幅）は、記録シートの長さ（具体的には、当該貼付部材の移動の方向に直交する方向に沿った記録シートの長さであり、典型的には、幅）以上であることが好ましい。更には、貼付部材は、記録シートのうち貼付部材の移動の方向に直交する方向に沿ったシート部分の全体を同時に押さえつけることができる部材（言い換えれば、線接触することができる又は線状に面接触することができる部材）であることが好ましい。このような部材として、例えば、後述のローラやヘラ等が一例としてあげられる。
【００１７】
保持部材は、基板に対して貼り付けられていく記録シートを保持する。本実施形態では特に、保持部材は、記録シートのうち貼付部材よりも他方側に位置するシート部分と基板との間に空隙が確保されるように、記録シートを保持する。ここで、貼付部材が記録シートの一方側の端部から他方側の端部に向かって移動することを考慮すれば、保持部材は、記録シートのうち貼付部材によって基板に対して未だ貼り付けられていないシート部分と基板との間に空隙が確保されるように、記録シートを保持するとも言える。言い換えれば、保持部材は、記録シートのうち貼付部材によって基板に対して未だ押さえつけられていないシート部分と基板との間に空隙が確保されるように、記録シートを保持するとも言える。
【００１８】
尚、記録シートのうち貼付部材よりも一方側に位置するシート部分と基板との間には、空隙が確保されていなくともよい。というのも、貼付部材が記録シートの一方側の端部から他方側の端部に向かって移動することを考慮すれば、記録シートのうち貼付部材よりも一方側に位置するシート部分は、既に基板に対して貼り付けられているはずであるからである。
【００１９】
このように、本実施形態によれば、保持部材によって、記録シートのうち貼付部材によって基板に対して未だ貼り付けられていないシート部分と基板との間には、空隙が確保される。つまり、記録シートのうち貼付部材が未だ通過していない（言い換えれば、貼付部材によって未だ押さえつけられていない）シート部分が基板に対して誤って貼り付けられてしまうことが殆ど又は全くない。その一方で、記録シートのうち貼付部材が通過した（言い換えれば、既に押さえつけられた）シート部分が基板に対して好適に貼り付けられている。つまり、貼付部材は、記録シートを、当該記録シートの一方側の端部から他方側の端部に向かって順に、基板に対して貼り付けていくことができる。このため、記録シートを基板に対して貼り付ける工程で、記録シートと基板との間に気泡等が混入してしまうことが殆ど又は全くなくなる。
【００２０】
従って、本実施形態のホログラム記録材の製造装置は、気泡等の混入を防止しながら記録シートが基板上に積層されたホログラム記録材を好適に製造することができる。
【００２１】
＜２＞
本実施形態のホログラム記録材の製造装置の他の態様では、前記貼付部材が前記記録シートの前記一方側の端部から前記他方側の端部に向かって移動する前には、前記貼付部材は、前記記録シートの前記一方側の端部を前記基板に押さえつけることで、前記記録シートの前記一方側の端部を前記基板に貼り付けておき、前記貼付部材が前記記録シートの前記一方側の端部から前記他方側の端部に向かって移動を開始した後には、前記貼付部材は、前記記録シートのうち前記貼付部材よりも前記一方側に位置するシート部分が前記基板に貼り付けられている一方で前記記録シートのうち前記貼付部材よりも前記他方側に位置するシート部分と前記基板との間に前記空隙が確保されている状態で、前記記録シートのうち前記貼付部材と接触しているシート部分を前記基板に対して押さえつけるように前記記録シートの一方側の端部から他方側の端部に向かって順に移動することで、前記記録シートを前記基板に貼り付ける。
【００２２】
この態様によれば、まず、貼付部材が移動する前の段階では、貼付部材は、記録シートの一方側の端部を基板に押さえつけることで、記録シートの一方側の端部を基板に貼り付けておく。一方で、貼付部材が移動する前の段階であっても、保持部材によって、記録シートのうち貼付部材よりも他方側に位置するシート部分と基板との間に空隙が確保されている。このため、貼付部材が移動する前の段階では、記録シートの一方側の端部以外のシート部分が基板に貼り付けられることは殆ど又は全くない。
【００２３】
その後、貼付部材が移動を開始した後には、貼付部材の移動に伴って、記録シートが基板に対して順に貼り付けられていく。従って、貼付部材が移動を開始した後には、記録シートのうち貼付部材よりも一方側に位置するシート部分が基板に貼り付けられている一方で、記録シートのうち貼付部材よりも他方側に位置するシート部分と基板との間には、保持部材によって空隙が確保されている。
【００２４】
つまり、この態様によれば、貼付部材の移動の開始前であろうが開始後であろうが、記録シートが製造装置にセットされた状態では、記録シートのうち貼付部材よりも一方側に位置するシート部分が基板に対して既に貼り付けられている一方で、記録シートのうち貼付部材よりも他方側に位置するシート部分が基板に対して貼り付けられていない（つまり、当該シート部分と基板との間に空隙が確保されている）状態が維持される。従って、貼付部材は、このような状態が維持されるがゆえに、記録シートを、当該記録シートの一方側の端部から他方側の端部に向かって順に、基板に対して押さえつけていく（つまり、貼り付けていく）ことができる。
【００２５】
このように、貼付部材は、気泡等の混入を防止しながら、貼付部材の移動に伴って、記録シートの全体を好適に基板に対して貼り付けることができる。
【００２６】
＜３＞
本実施形態のホログラム記録材の製造装置の他の態様では、前記保持部材は、（ｉ）前記貼付部材よりも前記他方側であって且つ前記基板よりも上方側に位置しており、（ｉｉ）少なくとも前記記録シートの前記他方側の端部を保持する。
【００２７】
この態様によれば、貼付部材よりも他方側に位置する保持部材が記録シートの他方側の端部を前記基板よりも上方において保持することで、記録シートのうち貼付部材よりも他方側に位置するシート部分と基板との間に、空隙が好適に且つ比較的容易に確保される。その結果、上述した各種効果が好適に享受される。
【００２８】
＜４＞
上述の如く保持部材が記録シートの他方側の端部を保持する製造装置の他の態様では、前記貼付部材は、当該貼付部材の移動に伴って前記保持部材に接触することで、前記保持部材を前記他方側に向かって押し出すことが可能であり、前記保持部材は、前記貼付部材が前記保持部材に接触するまでは、前記記録シートの前記他方側の端部を保持し、前記保持部材は、前記貼付部材が前記保持部材に接触した後に、前記他方側に向かって押し出されることで前記記録シートを離す。
【００２９】
この態様によれば、貼付部材は、記録シートの一方側の端部から他方側の端部に向かう移動に伴い、最終的には、貼付部材よりも他方側に位置する保持部材に接触することになる。この場合、貼付部材は、保持部材を他方側に向かって押し出すことができる。言い換えれば、保持部材は、貼付部材によって他方側に向かって押し出されるように、固定されていないことが好ましい。但し、保持部材は、記録シートの他方側の端部を保持するために、振動等の外乱によっては押し出されない（言い換えれば、動かない）程度に固定されていることが好ましい。
【００３０】
ここで、貼付部材が保持部材に接触するまでの間は（つまり、貼付部材が保持部材を他方側に向かって押し出していない段階では）、保持部材は、記録シートの他方側の端部を保持し続ける。
【００３１】
ここで、保持部材が記録シートの他方側の端部を保持し続けている状態では、貼付部材は、記録シートの他方側の端部を基板に対して貼り付けることができない。しかしながら、貼付部材が保持部材に接触した後には、貼付部材が保持部材を他方側に向かって押し出しされる。ここで、記録シートのうち貼付部材よりも一方側に位置するシート部分が既に基板に貼り付けられている（つまり、固定されている）がゆえに、記録シートの他方側の端部は、貼付部材によって他方側に押し出される保持部材と共に他方側へ移動することはない。その結果、保持部材は、その押出量が所定量を超えた段階で、記録シートの他方側の端部を離す（言い換えれば、保持を解除する）ことになる。言い換えれば、保持部材は、その押出量が所定量を超えた段階で記録シートの他方側の端部を保持し続けることができなくなる。その結果、貼付部材は、記録シートの他方側の端部をも基板に対して貼り付けることができるようになる。
【００３２】
従って、貼付部材は、気泡等の混入を防止しながら、貼付部材の移動に伴って、記録シートの全体を好適に基板に対して貼り付けることができる。
【００３３】
＜５＞
本実施形態のホログラム記録材の製造装置の他の態様では、前記貼付部材の移動の方向と交わる方向に沿った前記記録シートの位置決めを行う位置決め部材を更に備えている。
【００３４】
この態様によれば、位置決め部材は、貼付部材の移動の方向と交わる方向（点的には、直交する方向）に沿った記録シートの位置決めを好適に行うことができる。従って、貼付部材の移動の方向と交わる方向（点的には、直交する方向）に沿って、支持台上に載置されている基板の位置と、保持部材に保持されながら貼付部材によって押さえつけられていく記録シートの位置とが、比較的容易に揃えられる。
【００３５】
＜６＞
本実施形態のホログラム記録材の製造装置の他の態様では、前記貼付部材は、ローラ及びヘラのうちの少なくとも一方を含む。
【００３６】
この態様によれば、貼付部材は、記録シートのうち貼付部材の移動の方向に直交する方向に沿ったシート部分の全体を同時に押さえつけることができる。つまり、貼付部材は、記録シートのうち貼付部材の移動の方向に直交する方向に沿ったシート部分の全体に対して線接触する又は線状に面接触することができる。このため、貼付部材は、記録シートを、当該記録シートの一方側の端部から他方側の端部に向かって順に、基板に対して押さえつけていくことができる。その結果、貼付部材は、気泡等の混入を防止しながら、貼付部材の移動に伴って、記録シートの全体を好適に基板に対して貼り付けることができる。
【００３７】
尚、記録シートの一方側の端部から他方側の端部に向かって順に記録シートを基板に対して貼り付けるという観点から考慮すれば、ローラ及びヘラのうちの少なくとも一方は、ローラ及びヘラのうちの少なくとも一方と記録シートとの接触部分が貼付部材の移動の方向に交わる方向（典型的には、直交する方向）に沿って延伸するように、配置されていることが好ましい。
【００３８】
（ホログラム記録材の製造方法の実施形態）
＜７＞
本実施形態のホログラム記録材の製造方法は、基板と、前記基板上に積層され且つ画像が記録される記録シートとを備えるホログラム記録材の製造方法であって、前記基板を支持台上に載置する第１工程と、前記記録シートを前記基板に対して押さえつける貼付部材を、前記記録シートの一方側の端部から他方側の端部に向かって順に移動させることで、前記記録シートを前記基板に貼り付ける第２工程とを備え、前記第２工程では、前記記録シートのうち前記貼付部材よりも前記他方側に位置するシート部分と前記基板との間に空隙が確保されるように、前記記録シートが前記基板に貼り付けられる。
【００３９】
本実施形態のホログラム記録材の製造方法によれば、上述した本実施形態のホログラム記録材の製造装置が享受することができる各種効果と同様の効果を享受することができる。
【００４０】
尚、上述した本実施形態のホログラム記録材の製造装置が採用し得る各種態様に対応して、本実施形態のホログラム記録材の製造方法もまた、各種態様を採用してもよい。
【００４１】
本実施形態のこのような作用及び他の利得は次に説明する実施例から更に明らかにされる。
【００４２】
以上説明したように、本実施形態のホログラム記録材の製造装置は、支持台と、貼付部材と、保持部材とを備える。本実施形態のホログラム記録材の製造方法は、第１工程と、第２工程とを備える。従って、気泡等の混入を防止しながら記録シートが基板上に積層されたホログラム記録材を好適に製造することができる。
【実施例】
【００４３】
以下、図面を参照しながら、実施例について説明する。
【００４４】
（１）ホログラム記録材の構成
初めに、図１を参照して、本実施例のホログラム記録材１０について説明する。図１は、本実施例のホログラム記録材１０の外観を示す平面図、及び本実施例のホログラム記録材１０の断面を示す断面図である。
【００４５】
図１（ａ）に示すように、本実施例のホログラム記録材１０は、板状のホログラム記録材である。但し、本実施例のホログラム記録材１０は、板状のホログラム記録材に限らず、任意の形状のホログラム記録材であってもよい。
【００４６】
図１（ａ）には、後述する方法で記録された要素ホログラム１１が示されている。要素ホログラム１１は、ホログラム記録材１０の面上において、マトリクス状に分布している。但し、要素ホログラム１１は、ホログラム記録材１０の面上において、任意の分布態様で分布していてもよい。
【００４７】
図１（ｂ）は、図１（ａ）に示すホログラム記録材１０のＩ−Ｉ’断面図である。図１（ｂ）に示すように、本実施例のホログラム記録材１０は、基板１２と、記録シート１３とが積層された構造を有している。
【００４８】
基板１２は、ホログラム記録材１０の剛性を確保する又は補強する構造物（言い換えれば、ホログラム記録材１０の平面性を維持する部材）である。言い換えれば、基板１２は、当該基板１２上に積層される記録シート１３を支持する部材である。このような基板１２として、例えば、例えば、１ミリメートル程度の厚みを有する透明ガラスや光学板等が用いられてもよい。
【００４９】
記録シート１３は、記録したい画像に応じて空間変調器２０１（図２参照）が変調した物体光ＬＢ１（或いは、記録したい画像の元となる物体に照射された物体光ＬＢ１）と参照光ＬＢ２とが照射されることで、画像が記録される構造物である。典型的には、記録シート１３は、実際に画像が記録される記録膜３１と、当該記録膜３１を保護するための保護膜３２とが積層された構造を有している。記録膜３１として、例えば、数十ミクロンメートル程度の厚みを有する感光材料（つまり、光反応性を有する部材であって、例えば、フォトポリマー等）が用いられてもよい。保護膜３２として、例えば、１００ミクロンメートル程度の厚みを有する透明部材（例えば、ポリカーボネート（ＰＣ：ＰｏｌｙＣａｒｂｏｎａｔｅ）やポリエチレンテレフタラート（ＰＥＴ：ＰｏｌｙＥｔｈｙｌｅｎｅ  Ｔｅｒｅｐｈｔｈａｌａｔｅ）等）が用いられてもよい。
【００５０】
記録シート１３の基板１２に対向する表面は、粘着性を有することが好ましい。記録シート１３の粘着性によって、記録シート１３が基板１２に貼り付けられる。
【００５１】
（２）ホログラム記録材に記録される画像
続いて、図２から図５を参照しながら、ホログラム記録材１０に記録される画像について説明する。図２は、ホログラム記録材１０に要素ホログラム１１を記録する光学系の構成を示す斜視図である。図３は、ホログラム記録材１０に対する要素ホログラム１１の記録の態様を示す模式図である。図４は、ホログラム記録材１０に記録された要素ホログラム１１によって表示される画像の観察者による観察の態様を示す模式図である。図５は、ホログラム記録材１０に記録された各々の要素ホログラム１１によって表示される画像の観察者による観察の態様を示す模式図である。尚、図２から図５に示す図面では、Ｘ１軸、Ｙ１軸及びＺ１軸という３つの軸で定義される共通の三次元空間上で、ホログラム記録材１０に記録される画像について説明する。
【００５２】
図２に示すように、ホログラム記録材１０に対する画像の記録は、例えば、マルチドット方式のホログラフィックステレオグラムの記録と同様の手順を用いて行われてもよい。具体的には、まず、物体光ＬＢ１が空間変調器２０１に入射する。空間変調器２０１には、ホログラム記録材１０に記録されるべき画像に対応する画像パターン（特に、これから記録を行おうとしている要素ホログラム１１に対応する画像パターン）が表示されている。従って、物体光ＬＢ１は、空間変調器２０１を透過することで、空間変調器２０１に表示された画像パターンに応じて変調される。空間変調器２０１を透過した物体光ＬＢ１は、対物レンズ２０２によって、ホログラム記録材１０の面上の所望の要素ホログラム１１を記録する位置に集光される。一方で、同じ要素ホログラム１１を記録する位置には、物体光ＬＢ１が入射してくる側とは反対側から、参照光ＬＢ２が集光されている。その結果、空間変調器２０１によって変調された物体光ＬＢ１と参照光ＬＢ２とが干渉することで生成される干渉パターンが要素ホログラム１１として記録される。このような干渉パターンの記録が、ホログラム記録材１０並びに空間変調器２０１及び対物レンズを含む光学系のうちの少なくとも一方を図２中のＸ軸及びＹ軸の夫々に沿って段階的に移動させることで、ホログラム記録材面上の全ての位置あるいは任意の範囲に要素ホログラム１１を記録する。
【００５３】
ここで、図３に示すように、空間変調器２０１上の領域Ａ（具体的には、物体光ＬＢ１の光路の中心に相当する光軸に対して相対的に上方に位置する領域Ａ）に表示された画像パターンを透過した物体光ＬＢ１が要素ホログラム１１を記録するために入射する際の入射角（つまり、ホログラム記録材１０の面の法線と物体光ＬＢ１とがなす角度）は、θ度となる。つまり、空間変調器２０１上の領域Ａに表示された画像パターンを透過した物体光ＬＢ１は、要素ホログラム１１に対して、図３中の左斜め上方から入射する（具体的には、物体光ＬＢ１の光軸に対して相対的に上方から下方に向かうように入射する）ことになる。
【００５４】
同様に、図３に示すように、空間変調器２０１上の領域Ｂ（具体的には、物体光ＬＢ１の光軸付近に位置する領域Ｂ）に表示された画像パターンを透過した物体光ＬＢ１が要素ホログラム１１を記録するために入射する際の入射角は、０度となる。つまり、空間変調器２０１上の領域Ｂに表示された画像パターンを透過した物体光ＬＢ１は、要素ホログラム１１に対して、図３中の左水平方向から入射する（具体的には、物体光ＬＢ１の光軸に対して沿うように入射する）ことになる。
【００５５】
同様に、図３に示すように、空間変調器２０１上の領域Ｃ（具体的には、物体光ＬＢ１の光軸に対して相対的に下方に位置する領域Ｃ）に表示された画像パターンを透過した物体光ＬＢ１が要素ホログラム１１を記録するために入射する際の入射角は、−θ度となる。つまり、空間変調器２０１上の領域Ｃに表示された画像パターンを透過した物体光ＬＢ１は、要素ホログラム１１に対して、図３中の左斜め下方から入射する（具体的には、物体光ＬＢ１の光軸に対して相対的に下方から上方に向かうように入射する）ことになる。
【００５６】
図４に示すように、このように画像が干渉パターンとして記録された要素ホログラム１１を観察者が観察する際には、要素ホログラム１１に対して、例えば照明光ＬＢ３が照射される。尚、図４に示す例では、照明光ＬＢ３は、図３の参照光ＬＢ２が照射される側から照射されるものとする。
【００５７】
その結果、図４に示すように、要素ホログラム１１（具体的には、要素ホログラム１１の法線）に対して視線が−θ度という角度で交わる観察位置から要素ホログラム１１を観察する観察者ＸＡは、空間変調器２０１の領域Ａに表示された画像パターンを観察することになる。同様に、要素ホログラム１１に対して視線が０度という角度で交わる観察位置から要素ホログラム１１を観察する観察者ＸＢは、空間変調器２０１の領域Ｂに表示された画像パターンを観察することになる。同様に、要素ホログラム１１に対して視線がθ度という角度で交わる観察位置から要素ホログラム１１を観察する観察者ＸＣは、空間変調器２０１の領域Ｃに表示された画像パターンを観察することになる。
【００５８】
このため、要素ホログラム１１への記録時に、（ｉ）所望の物体を当該物体の下方から観察した画像に対応する画像パターンを空間変調器２０１の領域Ａに表示し、（ｉｉ）所望の物体を当該物体の正面から観察した画像に対応する画像パターンを空間変調器２０１の領域Ｃに表示し、且つ（ｉｉｉ）所望の物体を当該物体の上方から観察した画像に対応する画像パターンを空間変調器２０１の領域Ｃに表示しておけば、観察者は、視線に応じた角度から所望の物体を観察しているかの如き画像を観察することができる。
【００５９】
また、各要素ホログラム１１には、所望の物体の一部分に対応する画像が干渉パターンとして記録されるに過ぎない。従って、ホログラム記録材１０の面上の複数の要素ホログラム１１の夫々に対して、所望の物体の各部分に対応する画像が干渉パターンとして記録されれば、各々の要素ホログラム１１を観察する観察者は、所望の物体全体を観察することができる。このとき、図５に示すように、観察者が両目で各々の要素ホログラム１１が記録されたホログラム記録材１０を観察した場合には、両目の視差に起因して、観察者は、所望の物体の立体的な画像（いわゆる、三次元画像）を観察することができる。尚、図５は、所望の物体が携帯電話である例を示している。
【００６０】
但し、ホログラム記録材１０には、三次元画像のみならず、二次元画像が記録されてもよい。
【００６１】
（３）ホログラム記録材の製造装置
続いて、図６から図１５を参照しながら、ホログラム記録材１０の製造装置１００について説明する。尚、本実施例では、ホログラム記録材１０は、記録シート１３を基板１２に対して貼り付けることで製造されるものとする。
【００６２】
（３−１）製造装置の構成
初めに、図６から図９を参照して、製造装置１００の構成について説明する。図６は、製造装置１００の構成を示す斜視図である。図７は、図６に示す製造装置１００を上方（図６中の矢印参照）から観察した場合の平面図である。図８は、図６に示す製造装置１００の線分ＶＩ−ＶＩ’に沿った断面を示す断面図である。図９は、図６に示す製造装置１００を側面（図６中の矢印参照）から観察した場合の側面図である。尚、図６から図９に示す図面では、Ｘ２軸、Ｙ２軸及びＺ２軸という３つの軸で定義される共通の三次元空間上で、ホログラム記録材の製造装置１００の構成について説明する。
【００６３】
図６から図９に示すように、製造装置１００は、支持台１１０と、ローラユニット１２０とを備える。
【００６４】
支持台１１０は、基板１２を載置するための台である。基板１２を載置するために、支持台１１０の表面には、当該表面をくりぬいたくぼみ１１１が形成されていることが好ましい。但し、支持台１１０には、くぼみ１１１が形成されていなくともよい
くぼみ１１１の形状は、当該くぼみ１１１に対して基板１２を嵌め込むことができるように、基板１２の形状に応じた形状であることが好ましい。
【００６５】
また、くぼみ１１１のサイズ（具体的には、支持台１１０の面方向（Ｙ２軸とＺ２軸とで定義される平面の面方向）のサイズ）は、基板１２のサイズよりも大きいことが好ましい。但し、ホログラム記録材１０の製造中に基板１２がガタつかないように、くぼみ１１１は、基板１２のガタつきを防止することができる程度のサイズを有していることが好ましい。
【００６６】
また、くぼみ１１１の深さ（具体的には、支持台１１０の厚み方向（Ｘ２軸の方向）の深さ）は、基板１２の厚みと同一であってもよい。或いは、くぼみ１１１の深さは、基板１２の厚みよりも小さくともよい。この場合、支持台１１０の表面から基板１２が突き出るがゆえに、後述のローラ１３０は、くぼみ１１１に載置された基板１２に対して、記録シート１３を好適に押さえつける（例えば、記録シート１３に対して線接触する又は線状に面接触するように押さえつける）ことができる。
【００６７】
ローラユニット１２０は、支持台１１０よりも上方に配置される構造物である。ローラユニット１２０の一端（図６から図９中の右側の端部）は、連結部材１１２を介して支持台１１０と連結されていることが好ましい。但し、ローラユニット１２０は、支持台１１０と連結されていなくともよい。
【００６８】
連結部材１１２は、ローラユニット１２０の一端を回転軸として当該ローラユニット１２０が回転可能なように、ローラユニット１２０と支持台１１０とを連結していてもよい。この場合、ローラユニット１２０は、連結部材１１２（言い換えれば、連結部材１１２と連結されているローラユニット１２０の一端）を支点として、Ｘ２軸の方向に沿って（言い換えれば、Ｙ２軸を回転軸として）回転することができる。尚、ローラユニット１２０の回転の態様は、後述する図１１等に詳細に記載されている。
【００６９】
ローラユニット１２０は、記録シート１３を基板１２に対して貼り付けるためのローラ１３０を備えている。ローラ１３０は、Ｚ２軸の方向に沿って回転しながら移動可能である。このようなローラ１３０の移動を実現するために、例えば、ローラ１３０の回転軸１３１は、ローラユニット１２０の側面（具体的には、Ｙ２軸の方向に沿って対向する２つの側面）に設けられた溝であるローラガイド１３２に嵌め込まれていてもよい。この場合、ローラ１３０は、回転軸１３１がローラガイド１３２に沿って回転しながら移動することで、Ｚ２軸の方向に沿って回転しながら移動することができる。
【００７０】
尚、ローラユニット１２０は、ローラ１３０が移動可能な空間を確保するために、ローラ１３０が移動する空間が開口している形状を有していてもよい。但し、ローラユニット１２０は、ローラ１３０が移動可能な空間を確保することができる限りは、開口を有していなくともよい。図６から図９に示す例では、ローラユニット１２０は、ローラ１３０が移動可能な空間（開口）が４つの辺（枠）によって囲まれた形状を有している。
【００７１】
また、本実施例では、記録シート１３が当該開口を介してローラユニット１２０にセットされる。このため、ローラユニット１２０の開口のサイズは、記録シート１３のサイズに応じて適宜調整される（例えば、記録シート１３のサイズよりも大きくなる）ことが好ましい。
【００７２】
尚、ローラ１３０の幅（具体的には、ローラ１３０の移動の方向に直交する方向（つまり、Ｙ２軸の方向）に沿ったローラ１３０の長さ）は、記録シート１３の幅よりも大きいことが好ましい。これは、ローラ１３０による記録シート１３のしごき残しを防ぐためである。
【００７３】
更に、ローラユニット１２０は、記録シート１３の一部を保持するためのシートガイド１２１を備えている。シートガイド１２１は、ローラ１３０の移動方向（つまり、Ｚ２軸の方向）に沿って、ローラ１３０と並ぶ位置に配置されることが好ましい。
【００７４】
シートガイド１２１は、当該シートガイド１２１に保持される記録シート１３と支持台１１０上に載置される基板１２との間の空隙を確保するように、記録シート１３を保持する。特に、シートガイド１２１は、記録シート１３のうちローラ１３０を基準位置としてシートガイド１２１側（図６から図９では、図面中の左側の方向）に位置するシート部分と支持台１１０上に載置される基板１２との間の空隙を確保するように、記録シート１３を保持する。
【００７５】
このような空隙を確保するために、シートガイド１２１は、支持台１１０よりも上方に位置することが好ましい。つまり、シートガイド１２１は、支持台１１０よりも高い位置に存在することが好ましい。
【００７６】
尚、このような空隙を確保するためのシートガイド１２１による記録シート１３の保持の態様については、後に詳述する（図１３から図１５等参照）。
【００７７】
シートガイド１２１は、ローラ１３０の移動方向に（つまり、Ｚ２軸の方向）に沿って移動可能であることが好ましい。図６から図９に示す例では、シートガイド１２１の一部がローラユニット１２０の開口に対応する位置に備え付けられているものの、シートガイド１２１の他の一部が開口に対応しない位置に備え付けられている。従って、ローラユニット１２０は、その辺の一部に、シートガイド１２１が移動可能なガイドスペース１２２を備えている。
【００７８】
シートガイド１２１は更に、ローラユニット１２０にセットされる記録シート１３の位置決めを行うための位置決め突起１２３ａ及び１２３ｂを備えていることが好ましい。但し、シートガイド１２１は、位置決め突起１２３ａ及び１２３ｂを備えていなくともよい。
【００７９】
特に、位置決め突起１２３ａ及び１２３ｂは、ローラ１３０の移動方向に直交する方向（つまり、Ｙ２軸の方向）における記録シート１３の位置決めを行う。従って、位置決め突起１２３ａ及び１２３ｂは、ローラ１３０の移動方向に直交する方向（つまり、Ｙ２軸の方向）に沿って並ぶことが好ましい。また、位置決め突起１２３ａと、位置決め突起１２３ｂとの間の距離は、記録シート１３の幅（具体的には、Ｙ２軸の方向に沿った長さ）と同一又はほぼ同一であることが好ましい。
【００８０】
図６から図９に示す例では、位置決め突起１２３ａ及び１２３ｂは、ローラ１３０の移動方向に直交する方向（つまり、Ｙ２軸の方向）に沿って対向するシートガイド１２１の２つの辺に、ローラ１３０の移動方向（つまり、Ｚ２軸の方向）に沿ってシートガイド１２１の外部に向かって突き出るように、配置されている。
【００８１】
加えて、ローラユニット１２０は更に、ローラユニット１２０にセットされる記録シート１３の位置決めを行うための位置決め突起１２４ａ及び１２４ｂを備えていることが好ましい。但し、ローラユニット１２０は、位置決め突起１２４ａ及び１２４ｂを備えていなくともよい。
【００８２】
特に、位置決め突起１２４ａ及び１２４ｂは、位置決め突起１２３ａ及び１２３ｂと共に、ローラ１３０の移動方向に直交する方向（つまり、Ｙ２軸の方向）における記録シート１３の位置決めを行う。従って、位置決め突起１２４ａ及び１２４ｂは、ローラ１３０の移動方向に直交する方向（つまり、Ｙ２軸の方向）に沿って並ぶことが好ましい。また、位置決め突起１２４ａと、位置決め突起１２４ｂとの間の距離は、記録シート１３の幅（具体的には、Ｙ２軸の方向に沿った長さ）と同一又はほぼ同一であることが好ましい。
【００８３】
図６から図９に示す例では、位置決め突起１２４ａ及び１２４ｂは、ローラ１３０の移動方向に直交する方向（つまり、Ｙ２軸の方向）に沿って対向するローラユニット１２０の２つの辺上に配置されている。
【００８４】
尚、後に詳述するが、ローラ１３０の移動方向（つまり、Ｚ２軸の方向）における記録シート１３の位置決めは、初期位置に位置するローラ１３０及び初期位置に位置するシートガイド１２１によって行われる。具体的には、ローラ１３０の移動方向に沿った記録シート１３の一方の端部が、初期位置に位置するローラ１３０によって位置決めされる。また、ローラ１３０の移動方向に沿った記録シート１３の他方の端部が、初期位置に位置するシートガイド１２１によって位置決めされる。
【００８５】
但し、ローラ１３０の移動方向における記録シート１３の位置決めが初期位置に位置するローラ１３０及びシートガイド１２１によって行われることを考慮すれば、ローラ１３０及びシートガイド１２１の初期位置は、記録シート１３のサイズ等に合わせて適切に設定されていることが好ましい。
【００８６】
（３−２）製造装置における動作の流れ
続いて、図１０から図１５を参照して、製造装置１００における動作（つまり、ホログラム記録材１０の製造動作）の流れについて説明する。図１０は、製造装置１００における動作（つまり、ホログラム記録材１０の製造動作）の流れを示すフローチャートである。図１１から図１５は、夫々、製造装置１００における動作（つまり、ホログラム記録材１０の製造動作）が行われている時点での製造装置１００の状態を示す側面図又は断面図である。
【００８７】
尚、以下に説明する動作は、製造装置１００を操作するユーザ自身によって行われてもよい。或いは、以下に説明する動作は、製造装置１００自身によって行われてもよい。但し、製造装置１００自身が以下に説明する動作を行う場合には、製造装置１００は、製造装置１００の各種部材を駆動するための不図示のアクチュエータ等、当該アクチュエータの動作を制御するＣＰＵ等を備えていることが好ましい。
【００８８】
図１０及び図１１に示すように、支持台１１０のくぼみ１１１に基板１２が載置される（ステップＳ１１）。このとき、図１１に示すように、基板１２の載置する動作に対してローラユニット１２０が邪魔にならないように、連結部材１１２を支点としてローラユニット１２０が回転する（具体的には、図１１中時計周りの方向に回転する）ことが好ましい。つまり、ローラユニット１２０の状態が、ローラユニット１２０が支持台１１０に隣接している状態から、ローラユニット１２０が支持台１１０から隔離されている状態に遷移することが好ましい。
【００８９】
その後、図１０及び図１２に示すように、支持台１１０に基板１２が載置された後には、ローラユニット１２０の状態が、ローラユニット１２０が支持台１１０から隔離されている状態から、ローラユニット１２０が支持台１１０に隣接している状態に戻される（ステップＳ１２）。つまり、ローラユニット１２０は、連結部材１１２を支点として回転する（具体的には、図１２中反時計周りの方向に回転する）。
【００９０】
ここで、以下に説明するステップＳ１３からステップＳ１５までの工程は、感光材料である記録膜１３１を含む記録シート１３が取り扱われる工程であるがゆえに、暗室で行われることが好ましい。一方で、以上説明したステップＳ１１及びステップＳ１２の工程は、暗室で行われてもよいし、行われなくともよい。
【００９１】
その後、図１０及び図１３に示すように、記録シート１３がローラユニット１２０にセットされる（ステップＳ１３）。具体的には、記録シート１３は、ローラユニット１２０の開口から、ローラユニット１２０内に導入される。
【００９２】
このとき、記録シート１３は、記録シート１３の一方の端部（具体的には、ローラ１３０側に位置する端部であり、以降、適宜“ローラ側端部”と称する）が初期位置に位置するローラ１３０と基板１２との間に突き当たるまで、位置決め突起１２３ａ及び１２３ｂ並びに１２４ａ及び１２４ｂに案内されながら、ローラユニット１２０内に導入されていく。その結果、記録シート１３のローラ側端部は、初期位置に位置するローラ１３０によって、基板１２に押さえつけられる。つまり、記録シート１３のローラ側端部は、基板１２に対して貼り付けられる。
【００９３】
一方で、記録シート１３は、記録シート１３の他方の端部（具体的には、シートガイド１２１側に位置する端部であり、以降、適宜“ガイド側端部”と称する）が初期位置に位置するシートガイド１２１によって保持されるようになるまで、位置決め突起１２３ａ及び１２３ｂ並びに１２４ａ及び１２４ｂに案内されながら、ローラユニット１２０内に導入されていく。その結果、記録シート１３のガイド側端部は、基板１２よりも上方に位置するシートガイド１２１によって保持される。これにより、図１３に示すように、記録シート１３と基板１２との間には、空隙が確保されることになる。より具体的には、図１３に示すように、記録シート１３のうちローラ１３０を基準位置としてシートガイド１２１側に位置するシート部分と基板１２との間には、空隙が確保されることになる。
【００９４】
尚、シートガイド１２１による記録シート１３のガイド側端部の保持は、実質的には、記録シート１３の粘着性に起因したガイド側端部のシートガイド１２１に対する貼付によって実現される。
【００９５】
このように、記録シート１３がローラユニット１２０にセットされた時点では、記録シート１３のローラ側端部のみは、既に基板１２に対して貼り付けられる一方で、記録シート１３のうちローラ側端部以外のシート部分は、未だ基板１２に対して貼り付けられることはない。つまり、記録シート１３のうちローラ１３０を基準位置としてシートガイド１２１とは反対側に位置するシート部分が基板１２に貼り付けられる一方で、記録シート１３のうちローラ１３０を基準位置としてシートガイド１２１側に位置するシート部分と基板１２との間に空隙が確保されることになる。
【００９６】
その後、図１０及び図１４に示すように、ローラ１３０が、記録シート１３のローラ側端部から記録シート１３のガイド側端部に向かって回転しながら移動する（ステップＳ１４）。その結果、ローラ１３０の移動に伴って、記録シート１３は、記録シート１３のローラ側端部から記録シート１３のガイド側端部に向かって順に、基板１２に対して貼り付けられていく。
【００９７】
この場合であっても、シートガイド１２１が記録シート１３のガイド側端部を保持しているがゆえに、記録シート１３のうちローラ１３０を基準位置としてシートガイド１２１側に位置するシート部分と基板１２との間に空隙が確保されることになる。従って、ローラ１３０が移動を開始した後であっても、記録シート１３のうちローラ１３０を基準位置としてシートガイド１２１とは反対側に位置するシート部分が基板１２に貼り付けられる一方で、記録シート１３のうちローラ１３０を基準位置としてシートガイド１２１側に位置するシート部分と基板１２との間に空隙が確保されるという状態は維持され続ける。
【００９８】
ここで、ローラ１３０の幅が記録シート１３の幅よりも大きいことが好ましく、且つ、ローラ１３０は記録シート１３に対して線接触する又は線状に面接触することが好ましいことは上述したとおりである。この場合、記録シート１３の幅方向において、記録シート１３のしごき残し（つまり、ローラ１３０が押さえつけなかったシート部分の残存）が生ずるおそれが殆ど又は全くなくなる。つまり、ローラ１３０の移動の方向（つまり、Ｙ２軸の方向）に沿った記録シート１３の任意の位置に着目すれば、当該任意の位置のシート部分（つまり、ローラ１３０の幅方向に延伸するシート部分）の全体がローラ１３０と線接触するがゆえに、当該シート部分が同時に基板１２に貼り付けられる。言い換えれば、当該任意の位置のシート部分の全体を基板１２に対して貼り付けるために、ローラ１３０が当該任意の位置において往復移動する必要性は殆ど又は全くない。従って、記録シート１３と基板１２との間の気泡の混入の原因となりやすいローラ１３０の往復移動が行われることが殆ど又は全くないため、気泡の混入が好適に防止される。
【００９９】
加えて、シートガイド１２１によって、記録シート１３のうちローラ１３０を基準位置としてシートガイド１２１側に位置するシート部分（つまり、ローラ１３０が未だ押さえつけていないシート部分）と基板１２との間には、空隙が確保される。つまり、記録シート１３のうちローラ１３０を基準位置としてシートガイド１２１側に位置するシート部分の一部又は全部が、誤って基板１２に貼り付けられてしまうことは殆ど又は全くない。言い換えれば、記録シート１３の基板１２に対する貼付は、確実にローラ１３０によって行われることになる。このため、気泡の混入の原因となりやすい記録シート１３の基板１２に対する意図せぬ貼付が生ずることが殆ど又は全くないため、気泡の混入が好適に防止される。
【０１００】
その後、図１０並びに図１５（ａ）及び図１５（ｂ）に示すように、ローラ１３０の移動に伴って、ローラ１３０は、シートガイド１２１に接触することになる。ここで、ローラ１３０がシートガイド１２１に接触した後であっても、ローラ１３０は、記録シート１３のガイド側端部に向かって移動し続ける。その結果、ローラ１３０は、シートガイド１２１を、図１５（ａ）中の矢印の方向に向かって押し出す。つまり、シートガイド１２１は、ローラ１３０の移動に伴って、ローラ１３０とは逆の方向に向かって押し出される。一方で、記録シート１３の大部分が既に基板１２に貼り付けられているがゆえに、記録シート１３のガイド側端部は、ローラ１３０によって押し出されるシートガイド１２１と共に移動することはない。このため、シートガイド１２１の押出量が所定量を超えた段階で、記録シート１３のガイド側端部とシートガイド１２１とが切り離される。その結果、図１５（ｂ）に示すように、記録シート１３のガイド側端部が基板１２上に落下するがゆえに、ローラ１３０の移動に伴って、記録シート１３のガイド側端部もまた基板１２に貼り付けられることになる。その結果、記録シート１３の全体の基板１２に対する貼付が完了する。
【０１０１】
以上説明したように、本実施例の製造装置１００は、記録シート１３と基板１２との間の気泡の混入を好適に防止しながら、記録シート１３を基板１２に対して貼り付けることができる。つまり、本実施例の製造装置１００は、記録シート１３と基板１２との間の気泡の混入を好適に防止しながら、ホログラム記録材１０を製造することができる。
【０１０２】
また、本発明は、請求の範囲及び明細書全体から読み取るこのできる発明の要旨又は思想に反しない範囲で適宜変更可能であり、そのような変更を伴うホログラム記録材の製造装置及び方法もまた本発明の技術思想に含まれる。
【符号の説明】
【０１０３】
１０  ホログラム記録材
１１  要素ホログラム
１２  基板
１３  記録シート
３１  記録膜
３２  保護膜
１００  製造装置
１１０  支持台
１１１  くぼみ
１１２  連結部材
１２０  ローラユニット
１２１  シートガイド
１２２  ガイドスペース
１２３ａ、１２３ｂ  位置決め突起
１２４ａ、１２４ｂ  位置決め突起
１３０  ローラ
１３１  回転軸
１３２  ローラガイド
ＬＢ１  物体光
ＬＢ２  参照光
ＬＢ３  照明光
【図１】
2014142454.tif 000003
【図２】
2014142454.tif 000004
【図３】
2014142454.tif 000005
【図４】
2014142454.tif 000006
【図５】
2014142454.tif 000007
【図６】
2014142454.tif 000008
【図７】
2014142454.tif 000009
【図８】
2014142454.tif 000010
【図９】
2014142454.tif 000011
【図１０】
2014142454.tif 000012
【図１１】
2014142454.tif 000013
【図１２】
2014142454.tif 000014
【図１３】
2014142454.tif 000015
【図１４】
2014142454.tif 000016
【図１５】
2014142454.tif 000017